(57)【要約】【課題】設置場所において地中に埋設しなくても自立させることができ、また支柱の開き具合を自在に調節することができる農園芸用植物栽培具を提供する。【解決手段】少なくとも３本の支柱１が枢支体２により連結支持され、この枢支体２は支持体３と連結体４とを備え、前記支柱１が挿入される透孔３１，４１が前記支持体３と連結体４とに少なくとも３個ずつそれぞれ設けられ、前記支持体３と連結体４は互いに摺動すると共に回動自在に連結され、前記支持体３と連結体４を回動させることにより前記支柱１の下部が開脚・閉止自在となされていると共に、前記枢支体２は前記支柱１に対して上下方向に移動可能となされ、かつ前記支柱１の所望の位置に保持できるようにする。【選択図】        図１
2018085940.tif 000002
【特許請求の範囲】
【請求項１】
少なくとも３本の支柱が枢支体により連結支持され、この枢支体は支持体と連結体とを備え、前記支柱が挿入される透孔が前記支持体と連結体とに少なくとも３個ずつそれぞれ設けられ、前記支持体と連結体は互いに摺動すると共に回動自在に連結され、前記支持体と連結体を回動させることにより前記支柱の下部が開脚・閉止自在となされていると共に、前記枢支体は前記支柱に対して上下方向に移動可能となされ、かつ前記支柱の所望の位置に保持できるようになされていることを特徴とする農園芸用植物栽培具。
【請求項２】
前記支持体と連結体とは円筒形状となされ、それぞれの内周に仕切り板部が設けられて、前記透孔はこの仕切り板部に形成され、前記透孔の周辺には上下方向に縦壁が設けられ、この縦壁が前記支柱の側面に当接されるようになされていることを特徴とする請求項１に記載の農園芸用植物栽培具。
【請求項３】
前記縦壁は筒状に形成され、前記透孔の周辺から少なくとも上方または下方のいずれか一方に突設されていると共に、筒状の前記縦壁が複数に分割されて形成されていることを特徴とする請求項２に記載の農園芸用植物栽培具。
【発明の詳細な説明】
【技術分野】
【０００１】
本発明は、ナスなどの植物を栽培する際に用いる農園芸用植物栽培具に関するものである。
【背景技術】
【０００２】
農園芸用植物栽培具については、従来より種々の提案がなされており、例えば特許文献１には、少なくとも２本の線状エレメントと、線状エレメントを受け入れるための孔を有する少なくとも２箇の平面エレメントからなり、平面エレメントのたがいの相対的位置が、ユニットを使用する際に各々の線状エレメントが、各々の平面エレメントの孔を通過する一方、平面エレメントに対して傾斜して延び、かつ線状エレメントが前記少なくとも２箇の平面エレメントの中間の領域において交差するような関係にある草木用の杭又は格子、網などの支柱のような実質的に垂直な支持を構成するためのユニットである農園芸用植物栽培具が開示されている（特許文献１の請求項１参照）。
【先行技術文献】
【特許文献】
【０００３】
【特許文献１】特開昭５６−４５１４１号公報
【発明の概要】
【発明が解決しようとする課題】
【０００４】
しかしながら、上記従来の特許文献１に記載の農園芸用植物栽培具においては、それを自立させようとすると、少なくとも２箇の前記平面エレメントをそれぞれ違う方向に回転させて前記線状エレメントが互いに交差し当接した状態までもっていく必要がある。すなわち、前記農園芸用植物栽培具は少なくとも２箇の前記線状エレメントどうしが離間した状態では自立させることはできず、また、少なくとも２箇の前記平面エレメントの開き具合も、前記線状エレメントが互いに交差し当接した状態で一定の開き具合しかできず、自立させる場合には使い勝手が良いとは言えないものであった。
【０００５】
本発明は、設置場所において地中に埋設しなくても自立させることができ、また支柱の開き具合を自在に調節することができる農園芸用植物栽培具を提供せんとするものである。
【課題を解決するための手段】
【０００６】
上記目的を達成するために、本発明は次のような構成としている。
すなわち本発明に係る農園芸用植物栽培具は、少なくとも３本の支柱が枢支体により連結支持され、この枢支体は支持体と連結体とを備え、前記支柱が挿入される透孔が前記支持体と連結体とに少なくとも３個ずつそれぞれ設けられ、前記支持体と連結体は互いに摺動すると共に回動自在に連結され、前記支持体と連結体を回動させることにより前記支柱の下部が開脚・閉止自在となされていると共に、前記枢支体は前記支柱に対して上下方向に移動可能となされ、かつ前記支柱の所望の位置に保持できるようになされていることを特徴とするものである。
【０００７】
また本発明に係る農園芸用植物栽培具は前記支持体と連結体とは円筒形状となされ、それぞれの内周に仕切り板部が設けられて、前記透孔はこの仕切り板部に形成され、前記透孔の周辺には上下方向に縦壁が設けられ、この縦壁が前記支柱の側面に当接されるようになされていることを特徴とするものである。
【０００８】
また本発明に係る農園芸用植物栽培具は、前記縦壁は筒状に形成され、前記透孔の周辺から少なくとも上方または下方のいずれか一方に突設されていると共に、筒状の前記縦壁が複数に分割されて形成されていることを特徴とするものである。
【発明の効果】
【０００９】
本発明に係る農園芸用植物栽培具によれば、少なくとも３本の支柱が枢支体により連結支持され、この枢支体は支持体と連結体とを備え、前記支柱が挿入される透孔が前記支持体と連結体とに少なくとも３個ずつそれぞれ設けられ、前記支持体と連結体は互いに摺動すると共に回動自在に連結され、前記支持体と連結体を回動させることにより前記支柱の下部が開脚・閉止自在となされていると共に、前記枢支体は前記支柱に対して上下方向に移動可能となされ、かつ前記支柱の所望の位置に保持できるようになされているため、当該農園芸用植物栽培具を設置する設置場所において、農園芸用植物栽培具を地中に埋設しなくても自立させることができ、また前記枢支体を前記支柱に対して上下させ、例えば前記支柱の上部付近に前記枢支体を保持させると、前記支柱を大きく開脚することができ、また前記支柱の下部付近に前記枢支体を保持させると、前記支柱の開脚の程度を小さくすることができると言う具合に、前記枢支体を前記支柱の所望の位置に配置することで前記支柱の開き具合を自在に調節することができるので、栽培する植物の大きさによって、前記支柱の開き具合を簡単に調節することができ好ましい。更には、前記支持体と連結体を回動させるだけで、少なくとも３本以上の前記支柱を同時にほぼ同じ傾斜具合で開脚されるので、支柱を１本ずつ動かす必要がなく、効率よく農園芸用植物栽培具を自立させ設置することができる。
【００１０】
また本発明に係る農園芸用植物栽培具によれば、前記支持体と連結体とは円筒形状となされ、それぞれの内周に仕切り板部が設けられて、前記透孔はこの仕切り板部に形成され、前記透孔の周辺には上下方向に縦壁が設けられ、この縦壁が前記支柱の側面に当接されるようになされているため、前記支柱の側面が前記透孔の周辺に設けられた縦壁に当接することにより前記支柱が前記枢支体で抱きかかえるように支持され、前記枢支体を前記支柱の所望の位置で保持させることができ、前記枢支体がその位置からずり落ちることがない。
【００１１】
また本発明に係る農園芸用植物栽培具によれば、前記縦壁は筒状に形成され、前記透孔の周辺から少なくとも上方または下方のいずれか一方に突設されていると共に、筒状の前記縦壁が複数に分割されて形成されているため、分割された前記縦壁が前記支柱の側面により当接されやすくなり、さらに確実に前記支柱が前記枢支体で抱きかかえるように支持され、前記枢支体を前記支柱の所望の位置で保持させることができ、前記枢支体がその位置からずり落ちることがない。
【図面の簡単な説明】
【００１２】
【図１】本発明に係る農園芸用植物栽培具の一つの実施形態であって、その支柱を開脚した使用状態を示す斜視図である。
【図２】図１に示す農園芸用植物栽培具を構成する支柱を閉止した状態を示す斜視図である。
【図３】図１に示す農園芸用植物栽培具を構成する枢支体を示す斜視図である。
【図４】図３に示す枢支体を構成する支持体の、（ａ）は斜視図、（ｂ）は（ａ）と異なる方向から見た斜視図である。
【図５】図４に示す支持体の、（ａ）は正面図、（ｂ）は平面図、（ｃ）は底面図、（ｄ）は側面図、（ｅ）はＡ−Ａ視断面図、（ｆ）はＢ−Ｂ視断面図である。
【図６】図３に示す枢支体を構成する連結体の、（ａ）は斜視図、（ｂ）は（ａ）と異なる方向から見た斜視図である。
【図７】図６に示す支持体の、（ａ）は正面図、（ｂ）は平面図、（ｃ）は底面図、（ｄ）は側面図、（ｅ）はＡ−Ａ視断面図、（ｆ）はＢ−Ｂ視断面図である。
【図８】本発明に係る農園芸用植物栽培具の別の実施形態であって、その支柱を開脚した使用状態を示す斜視図である。
【発明を実施するための形態】
【００１３】
次に、本発明につき実施形態を取り上げて説明を行う。なお、本実施形態はあくまでも本発明を理解するための一例を示したに過ぎず、各部の形状、構造、材質等に関し、本実施形態以外のバリエーションが、本発明の要旨を逸脱しない範囲内で許容されていることは言うまでもない。
【００１４】
Ｐは本発明に係る農園芸用植物栽培具であり、１は農園芸用植物栽培具Ｐを構成する支柱であり、パイプ材の外周に合成樹脂が被覆されて、その上端と下端とには蓋材が取付けられてパイプ材の開口が閉じられて形成されている。前記パイプ材は、その長さが５００〜４０００ｍｍ、外径が７〜４０ｍｍ、肉厚が０．３〜１．２ｍｍであることが好ましい。このうち、長さが７００〜２７００ｍｍ、外径が１３〜３２ｍｍ、肉厚が約０．７ｍｍのものが特に好適に使用される。
【００１５】
また前記パイプは、鉄、ステンレス、アルミニウム合金等の金属、あるいは、ポリプロピレン、ポリスチレン、ポリ塩化ビニル、ポリ塩化ビニリデン、ポリカーボネート、ポリエチレンテレフタレート、ポリブチレンテレフタレート、ポリエチレンナフタレート、ポリアミド、ポリウレタン、ポリアクリロニトリル、ＡＢＳ、ＡＡＳ、フェノール樹脂、不飽和ポリエステル樹脂、エポキシ樹脂、ＦＲＰ等の合成樹脂からなる管状体が用いられ、その断面形状は円形、楕円形、多角形等特に限定はされないが、本実施形態に示すように、断面が真円形状のものが好適に使用される。
【００１６】
前記パイプ材の外周に形成されている合成樹脂製の被覆層は、その厚みが０．５ｍｍ程度のものであり、前記合成樹脂の種類はポリ塩化ビニル、ポリプロピレン、ポリエチレン、エチレンー酢酸ビニル共重合体、ＡＢＳ樹脂、繊維素系樹脂、ポリアミド、ポリスチレン等が使用される。
【００１７】
図１から図５に示す農園芸用植物栽培具Ｐの実施形態においては細長い円柱状の支柱１が３本用いられており、農園芸用植物栽培具Ｐは３本の前記支柱１が枢支体２により連結支持されて形成されている。そして、前記枢支体２は支持体３と連結体４とを備えている。また、前記支持体３と連結体４とには、前記支柱１が挿入される透孔３１、４１が３個ずつそれぞれ設けられている。そして、前記支持体３と連結体４は互いに摺動すると共に回動自在に連結され、前記支持体３と連結体４を回動させることにより前記支柱１の下部及び上部が開脚・閉止自在となされている。
【００１８】
さらに、前記枢支体２は前記支柱１に対して上下方向に移動可能となされ、かつ前記支柱１の所望の位置に保持できるようになされている。より具体的には、後述する前記支持体３と連結体４とに設けられている縦壁３３、４３が前記支柱１の側面１１に当接されることにより、前記枢支体２が前記支柱１の所望の位置に保持できるようになされている。
【００１９】
前記支持体３は扁平な円筒形状となされ、その内周に仕切り板部３２が設けられている。そして、円形の前記透孔３１はこの仕切り板部３２に形成され、前記支持体３の中央に設けられた軸受部３５を中心にして同心円上に１２０度ずつずれた位置に３個形成されている。また、前記透孔３１の周辺である周縁から下方に向けて円筒状の縦壁３３が４個に分割されて設けられ、前記透孔３１に前記支柱１が挿入された状態で、前記縦壁３３が前記支柱１の側面１１に当接されるようになっている。この様に、前記支柱１の側面１１が前記透孔３１の周縁に設けられた前記縦壁３３に当接することにより前記支柱１が前記枢支体２を構成する支持体３で抱きかかえるように支持されるので、前記支柱１の所望の位置で前記支持体３、つまりは前記枢支体２を保持させることができる。
【００２０】
また、４個に分割されている前記縦壁３３は、前記支持体３と連結体４とが回動する回動方向と正対する箇所うちの一方が１２０度分欠落して、欠落部３６が設けられている。そして、前記透孔３１に挿入した前記支柱１を開脚するために、前記支持体３と前記連結体４とを回動させ前記支柱１を上下方向に垂直の状態から傾倒していくにつれて、前記欠落部３６に前記支柱１が入り込むようになっている。この様な構造にすることによって、前記支柱１を開脚させ傾斜しても、前記支柱１の側壁１１に前記縦壁３３が当たって前記支柱１が傾倒するのを阻害することがないので、所望の角度で前記支柱１を開脚することができ、植物の大きさが異なっても、同じ前記農園芸用植物栽培具Ｐを用いて植物を栽培することができる。
【００２１】
本実施形態において、前記縦壁３３は前記透孔３１の周辺である周縁から下方に向けて４個に分割され設けられているが、特にこれに限定されるものではなく、前記縦壁３３が前記透孔３１の周辺から上方に向けて複数個に分割され設けられていてもよく、さらには、前記縦壁３３が前記透孔３１の周辺から上方及び下方の両方に向けて複数個に分割され設けられていてもよく、要は、前記縦壁３３が前記透孔３１の周辺から少なくとも上方または下方のいずれか一方に複数個に分割されて設けられていればよい。
【００２２】
また扁平な円筒状の前記支持体３の外周壁３４は、後述する扁平な円筒状の前記連結体４の内周壁４４と摺動しながら回動自在に当接しつつ、前記支持体３と連結体４とが嵌合されている。そして前記支持体３の中央には、前記連結体４の中央に設けられた回動軸部４５が挿入される円筒状の前記軸受部３５が形成されている。
【００２３】
前記連結体４は扁平な円筒形状となされ、その内周に仕切り板部４２が設けられている。そして、円形の前記透孔４１はこの仕切り板部４２に形成され、前記連結体４の中央に設けられた回動軸部４５を中心にして同心円上に１２０度ずつずれた位置に３個形成されている。また、前記透孔３１の周辺である周縁から下方に向けて円筒状の縦壁４３が４個に分割されて設けられ、前記透孔４１に前記支柱１が挿入された状態で、前記縦壁４３が前記支柱１の側面１１に当接されるようになっている。この様に、前記支柱１の側面１１が前記透孔４１の周縁に設けられた前記縦壁４３に当接することにより前記支柱１が前記枢支体２を構成する連結体４で抱きかかえるように支持されるので、前記支柱１の所望の位置で前記連結体４、つまりは前記枢支体２を保持させることができる。
【００２４】
また、４個に分割されている前記縦壁４３は、前記支持体３と連結体４とが回動する回動方向と正対する箇所うちの一方が１２０度分欠落して、欠落部４６が設けられている。そして、前記透孔４１に挿入された前記支柱１を開脚するために前記連結体４と前記支持体３とを回動させ前記支柱１が上下に垂直の状態から傾倒していくにつれて、前記欠落部４６に前記支柱１が入り込むようになっている。この様な構造にすることによって、前記支柱１が開脚し傾斜しても、前記支柱１の側壁１１に前記縦壁４３が当たって前記支柱１が傾倒するのを阻害することがないので、所望の角度で前記支柱１を開脚することができ、植物の大きさが異なっても、同じ前記農園芸用植物栽培具Ｐを用いて植物を栽培することができる。
【００２５】
本実施形態において、前記縦壁４３は前記透孔４１の周辺である周縁から下方に向けて４個に分割され設けられているが、特にこれに限定されるものではなく、前記縦壁４３が前記透孔４１の周辺から上方に向けて複数個に分割され設けられていてもよく、さらには、前記縦壁４３が前記透孔４１の周辺から上方及び下方の両方に向けて複数個に分割され設けられていてもよく、要は、前記縦壁３３が前記透孔３１の周辺から少なくとも上方または下方のいずれか一方に複数個に分割されて設けられていればよい。
【００２６】
また上述の様に、扁平な円筒状の前記連結体４の内周壁４４は、扁平な円筒状の前記支持体３の外周壁３４と摺動しながら回動自在に当接しつつ、前記支持体３と連結体４とが嵌合されている。そして前記連結体４の中央には、前記支持体３の中央に設けられた前記軸受部３５に挿入される前記回動軸部４５が形成されている。この回動軸部４５は割りピン状に形成され、その先端には引っ掛り部４７が設けられている。そして、この引っ掛り部４７の最大径は前記軸受部３５の内径より大きく形成されており、前記軸受部３５に回動軸部４５が挿入された際、前記軸受部３５の下方に飛び出し割りピン状の回動軸部４５が広がって、前記引っ掛り部４７が前記軸受部３５の下端縁に引っ掛り、前記支持体３と連結体４とを回動させても、前記支持体３と連結体４とが外れないようになっている。
【００２７】
また前記連結体４の外周壁４８には、上下方向に複数の凹部４９が設けられているので、前記支柱１を開脚するために前記連結体４と前記支持体３とを回動させる際、前記凹部４９が滑り止めとなり回動させやすくなされている。
【００２８】
なお、４個に分割されている前記縦壁３３、４３は、下方に行くに従い内側に傾斜して形成されている。すなわち、前記縦壁３３、４３の上端の直径より下端の直径の方が小さく形成されている。この構成にすることにより、前記支柱１を閉止した状態、すなわち、前記支柱１を上下に垂直の状態にしても、前記縦壁３３、４３の下部が前記支柱１の側面１３に確実に当接され、前記支持体３と連結体４とで形成される前記枢支体２が、その自重により下方にズレ落ちることない様になっている。
【００２９】
そして、前記連結体４と前記支持体３とを嵌合させ前記枢支体２を形成した状態において、前記支持体３に形成されている縦壁３３の欠落部３６と前記連結体４に形成されている縦壁４３の欠落部４６とは、前記支持体３と連結体４とが回動する回動方向と正対する箇所うち同じ側が欠落して形成されている。すなわち、図５の平面図（ｂ）において、上側の縦壁３３ａに形成されている欠落部３６ａは右側に形成されており、図７の平面図（ｂ）において、上側の縦壁４３ａに形成されている欠落部４６ａも右側に形成されているのである。その他の縦壁３３ｂ、３３ｃに形成されている欠落部３６ｂ、３６ｃと、その他の縦壁４３ｂ、４３ｃに形成されている欠落部４６ｂ、４６ｃについても、同じ側が欠落して形成されている。この様な構造にすることによって、前記支柱１が開脚し傾斜しても、前記支柱１の側壁１１に前記縦壁３３、４３が当たって前記支柱１が傾倒するのを阻害することがないので、所定の角度で前記支柱１を開脚することができるのである。
【００３０】
また前記支持体３には、その外周壁３４が切欠かれ、切欠かれた両端には前記支持体３の中心に向けて突設された縦壁状の当り受け部３７が備えられている。また前記連結体４の内周壁４４には、前記連結体４の中心に向けて突設された縦壁状の当り部５０が設けられており、前記支持体３の当り受け部３７の一方に前記連結体４の当り部５０が当接された状態において、前記支柱１が閉止された状態となるようになされており、前記支持体３の当り受け部３７の他方に前記連結体４の当り部５０が当接された状態において、前記支柱１が開脚された状態となるようになされている。この様な構造とすることにより、複数本の前記支柱１を同時にほぼ同じ傾斜具合で開脚でき、前記支柱１がそれ以上の傾斜で開脚しないようにすることができ、また複数本の前記支柱１を同時に閉止することができる。
【００３１】
図８に示す農園芸用植物栽培具Ｐの実施形態においては細長い円柱状の支柱１が４本用いられて形成されている点と、その支柱１を挿入する枢支体２の支持体３と連結体４とに形成されている透孔３１、４１が４個ずつ形成されている点において、上記図１から図７に示す実施形態と相違する。つまり、４本の支柱１が枢支体２により連結支持され、この枢支体２が支持体３と連結体４とを備え、前記支柱１が挿入される透孔３１、４１が前記支持体３と連結体４とに４個ずつそれぞれ設けられ、前記支持体３と連結体４は互いに摺動すると共に回動自在に連結され、前記支持体３と連結体４を回動させることにより前記支柱１の下部が開脚・閉止自在となされている。
【００３２】
そして上記図１から図７に示す実施形態と同様に、前記支持体３と連結体４とは円筒形状となされ、それぞれの内周に仕切り板部３２、４２が設けられて、前記透孔３１、４１はこの仕切り板部３２、４２に形成され、前記透孔３１、４１の周辺には上下方向に縦壁３３、４３が設けられ、この縦壁３３、４３が前記支柱１の側面１３に当接されるようになされ、前記縦壁３３、４３は筒状に形成され、前記透孔３３、４３の周辺である周縁から突設されていると共に、筒状の前記縦壁３３、４３が複数に分割されて形成されている。
【００３３】
なお、前記支柱１を５本以上用いて形成する農園芸用植物栽培具Ｐにおいても、前記支柱１を５本用いて形成する場合には、前記透孔３１、４１は５個ずつとなり、前記支柱１を６本用いて形成する場合には、前記透孔３１、４１は６個ずつとなると言った具合に、前記支柱１の本数と前記透孔３１、４１の個数とが変わってくることになるのは言うまでもない。
【００３４】
また、上記図１から図８に示す実施形態において、前記支柱１は円筒状に形成されているが、特にこの形態に限定されるものではなく、三角筒状や四角筒状、六角筒状と言った角筒状に形成されていてもよく、その場合には、前記支持体３と連結体４とに設けられている透孔３１、４１の形状を前記支柱１の外形に対応した形状に形成すればよい。
【符号の説明】
【００３５】
１  支柱
１１  側面
２  枢支体
３  支持体
３１  透孔
３２  仕切り板部
３３  縦壁
３４  外周壁
３５  軸受部
３６  欠落部
３７  当り受け部
４  連結体
４１  透孔
４２  仕切り板部
４３  縦壁
４４  内周壁
４５  回動軸部
４６  欠落部
４７  引っ掛り部
４８  外周壁
４９  凹部
５０  当り部
Ｐ  農園芸用植物栽培具
【図１】
2018085940.tif 000003
【図２】
2018085940.tif 000004
【図３】
2018085940.tif 000005
【図４】
2018085940.tif 000006
【図５】
2018085940.tif 000007
【図６】
2018085940.tif 000008
【図７】
2018085940.tif 000009
【図８】
2018085940.tif 000010